(57)【要約】      （修正有）【課題】放射線量測定器で測定した測定値を、通信網と導結した表示装置及び携帯端末器並びにコンピュータシステムと接続した事務所のうちの少なくとも一つで閲覧可能とする放射線量測定値表示システムを提供する。【解決手段】放射線量測定値表示システムは、道路の放射線量を測定する必要のある場所に特定の第３世代移動通信方式の通信機器３を備えた放射線量測定器４を設置し、この放射線量測定器を特定の第３世代移動通信方式の通信網５を介して通信機器を備えた表示装置６と導結すると共に、通信網をインターネット７を介してクラウド８を備えたコンピュータシステム９と導結する。【選択図】図１ｂ
0003195737.tif 000002
【実用新案登録請求の範囲】
【請求項１】
道路(1)の放射線量を測定する必要のある場所(2)にＷ−ＣＤＭＡ通信方式の通信機器(3)を備えた放射線量測定器(4)を設置し、
該放射線量測定器(4)を、Ｗ−ＣＤＭＡ通信方式の通信網(5)を介して、該通信機器(3)を備えた表示装置(6)と導結し、
該Ｗ−ＣＤＭＡ通信方式の通信網(5)を、インターネット(7)を介して、クラウド(8)を備えたコンピュータシステム(9)と導結し、
該放射線量測定器(4)で測定した測定値を、該Ｗ−ＣＤＭＡ通信方式の通信網(5)と導結した該表示装置(6)及び携帯端末器(10)並びに該コンピュータシステム(9)と接続した事務所(11)のうちの少なくとも一つで、閲覧可能とした
ことを特徴とする放射線量測定値表示システム。
【請求項２】
該道路(1)は有料道路で、該事務所(11)は車両走行方向上で隣り合う手前側の料金所(11a)と後方側の料金所(11b)となっており、該場所(2)は該両料金所(11a,11b)間に位置している請求項１に記載の放射線量測定値表示システム。
【請求項３】
該料金所(11a)と(11b)には該表示装置(6)が設置されている請求項２に記載の放射線量測定値表示システム。
【請求項４】
該事務所(11)は管理事務所(11c)である請求項１に記載の放射線量測定値表示システム。
【請求項５】
該表示装置(6)は箱形で、本体(6a)と透光性の開閉板(6b)で構成され、該本体(6a)は数値表示部(6c)と、カッティングシート(6d)によるマイクロシーベルト表示部(6e)を備えている請求項１、２、３又は４に記載の放射線量測定値表示システム。
【考案の詳細な説明】
【技術分野】
【０００１】
本考案は放射線量測定値表示システムに関し、放射線測定器で測定した測定値を、世界電気通信連合が定める世界標準規格ＩＭＴ−２０００規格に準拠した通信システムである第３世代移動通信システムの一つのＷ−ＣＤＭＡ通信方式の通信網を介して、直接クラウドコンピュータシステムにデータを送信し、このクラウドコンピュータシステムに接続した事業所側で随時その測定値を閲覧可能にしたものである。
【背景技術】
【０００２】
放射能の影響下で作業に従事する作業者の安全をはかるため、各作業者に放射線量を測定できる携帯端末器３を携行させ、この携帯端末器３をインターネットもしくはケータイネットワークサービスに接続して作業者が浴びた放射能の数値を集中管理し、この値が一定値に達するとこの携帯端末器３から警告して作業場から退避させるようにした放射能の一元管理方法とその管理システムは特許文献１に開示されている。
【先行技術文献】
【特許文献】
【０００３】
【特許文献１】特開２０１４−１５３１９４号公報；「要約」の「解決手段」参照
【考案の概要】
【考案が解決しようとする課題】
【０００４】
この特許文献１に記載された発明に係る放射能安全作業対応の一元管理システムは、段落０００５の記載からわかるように、放射線量を測定できる携帯端末機器が作業員ごとに携行される移動型となっている。
【０００５】
このような移動型の携帯端末機器を道路上の放射能危険領域を通過する車両に適用しようとすると、ドライバーごとに携行させる必要があり、実現は極めて困難と言わざるを得ない。
【課題を解決するための手段】
【０００６】
（請求項１）本考案に係る放射線量測定値表示システムは、道路の放射線量を測定する必要のある場所にＷ−ＣＤＭＡ通信方式の通信機器を備えた放射線量測定器を設置する。該放射線量測定器を、Ｗ−ＣＤＭＡ通信方式の通信網を介して、該通信機器を備えた表示装置と導結する。該Ｗ−ＣＤＭＡ通信方式の通信網を、インターネットを介して、クラウドを備えたコンピュータシステムと導結する。そして、該放射線量測定器で測定した測定値を、該Ｗ−ＣＤＭＡ通信方式の通信網と導結した該表示装置及び携帯端末器並びに該コンピュータシステムと接続した事務所のうちの少なくとも一つで、閲覧可能としたものである。
【０００７】
放射線量測定器は道路の放射線量を測定する必要のある場所に設置するだけなので、その場所が長距離にならなければ１基で済み、費用を低減できる。この放射線量測定器はＷ−ＣＤＭＡ通信方式の通信機器を備えている。この放射線量測定器網を、Ｗ−ＣＤＭＡ通信方式の通信網を介して、該通信機器を備えた表示装置と導結するので、測定値を直に表示装置に表示でき、この通信網を介して携帯端末でもこの測定値を直に閲覧できる。また、該Ｗ−ＣＤＭＡ通信方式の通信網を、インターネットを介して、クラウドを備えたコンピュータシステムと導結したので、このクラウドコンピュータシステムと接続した事務所でもこの測定値を閲覧できる。
【０００８】
（請求項２）該道路は有料道路で、該事務所は車両走行方向上で隣り合う手前側の料金所と後方側の料金所となっており、該場所は該両料金所間に位置していてもよい。
こうすると、該場所に進入しようとする車両を手前側の料金所で阻止でき、該場所に進入してしまった車両のドライバーには表示装置で危険性を知らせることによりて速やかに後方側の料金所から退出させて放射能の危険から保護できる。
【０００９】
（請求項３）該料金所には該表示装置が設置されていてもよい。
こうすると、該料金所内で該道路の該場所の放射能状況を知ることができ、収受員等による速やかな対応が可能となる。
【００１０】
（請求項４）該事務所は管理事務所であってもよい。
こうすると、管理事務所で一括管理ができ、広範でかつ速やかな対応ができる。
【００１１】
（請求項５）該表示装置は箱形で、本体と透光性の開閉板で構成され、該本体は数値表示部と、カッティングシートによるマイクロシーベルト表示部を備えていてもよい。
こうすると、本体内部に収めた機器による放射能の変動する検出数値を数値表示部に表示し、開閉板を透してその都度外部から視認でき、開閉板を開くことにより本体内部の点検が容易となり、マイクロシーベルト表示部では不変の単位表示ができる。
【考案の効果】
【００１２】
（請求項１）本考案の放射線量測定値表示システムによれば、放射線量測定器は道路の放射線量を測定する必要のある場所に設置するだけなので、その場所が長距離にならなければ１基で済み、費用を低減できる。この放射線量測定器はＷ−ＣＤＭＡ通信方式の通信機器を備えており、この通信網を介して表示装置と導結されるので、測定値を直に表示装置に表示できる。この通信網を介することにより携帯端末器でもこの測定値を直に閲覧できる。また、該Ｗ−ＣＤＭＡ通信方式の通信網を、インターネットを介して、クラウドを備えたコンピュータシステムと導結したので、このコンピュータシステムと接続した事務所でもこの測定値を閲覧できる。
【００１３】
請求項２によれば、該場所に進入しようとする車両を手前側の料金所で阻止でき、該場所に進入してしまった車両のドライバーには表示装置で危険性を知らせることにより速やかには後方側の料金所から流出させて放射能の危険から保護できる。
【００１４】
請求項３によれば、該料金所内で該道路の該場所の放射能状況を知ることができ、収受員等による速やかな対応が可能となる。
【００１５】
請求項４によれば、管理事務所で一括管理ができ、広範でかつ速やかな対応ができる。
【００１６】
請求項５によれば、本体内部に収めた機器による放射能の変動する検出数値を数値表示部に表示し、開閉板を透してその都度外部から視認でき、開閉板を開くことにより本体内部の点検が容易となり、マイクロシーベルト表示部では不変の単位表示ができる。
【図面の簡単な説明】
【００１７】
【図１ａ】本考案にかかる放射線量測定値表示システムの具体例を示す概念図で、線Ａ−Ａで分割した左側の部分ある。
【図１ｂ】同、線Ａ−Ａで分割した右側の部分ある。
【図２】表示装置の正面図である。
【図３】表示装置の側面図である。
【考案を実施するための形態】
【００１８】
（請求項１）図１で、本考案にかかる放射線量測定値表示システムは、道路１の放射線量を測定する必要のある場所２にＷ−ＣＤＭＡ通信方式の通信機器３を備えた放射線量測定器４を設置する。この放射線量測定器４を、Ｗ−ＣＤＭＡ通信方式の通信網５（一例としてＦＯＭＡ：登録商標）を介して、同様の通信機器３を備えた表示装置６と導結する。
このＷ−ＣＤＭＡ通信方式の通信網５を、インターネット７を介して、クラウド８を備えたコンピュータシステム９と導結する。
そして、この放射線量測定器４で測定した測定値を、このＷ−ＣＤＭＡ通信方式の通信網５と導結した表示装置６、携帯端末器１０（携帯電話、スマートフォン等）及びこのコンピュータシステム９と接続した事務所１１のうちの少なくとも一つで、閲覧可能とする。
【００１９】
この放射線量測定値表示システムによれば、放射線量測定器４は道路の放射線量を測定する必要のある場所２に設置するだけなので、その場所が長距離にならなければ１基で済み、費用を低減できる。この放射線量測定器４はＷ−ＣＤＭＡ通信方式の通信機器３を備えており、この通信網５を介して表示装置６と導結されるので、測定値を直に表示装置６に表示できる。この通信網５を介することにより携帯端末器１０でもこの測定値を直に閲覧できる。また、Ｗ−ＣＤＭＡ通信方式の通信網５を、インターネット７を介して、クラウド８を備えたコンピュータシステム９と導結したので、このコンピュータシステム９と接続した事務所１１でもこの測定値を閲覧できる。
【００２０】
（請求項２）道路１は有料道路で、事務所１１は車両走行方向上で隣り合う手前側の料金所１１ａと後方側の料金所１１ｂとなっており、この場所２は両料金所１１ａと１１ｂ間に位置している。
この場合、この場所２に進入しようとする車両を手前側の料金所１１ａで阻止でき、この場所２に進入してしまった車両のドライバーには表示装置６で危険性を知らせることにより速やかに後方側の料金所１１ｂから退出させて放射能の危険から保護できる。
【００２１】
（請求項３）料金所１１ａと１１ｂには表示装置６が設置されている。
この場合、各料金所１１ａと１１ｂ内でこの道路１のこの場所２の放射能状況を知ることができ、収受員等による速やかな対応が可能となる。
【００２２】
（請求項４）事務所１１は管理事務所１１ｅとなっている。
この場合、管理事務所１１ｅで一括管理ができ、広範でかつ速やかな対応ができる。
【００２３】
（請求項５）表示装置６は箱形で、本体６ａと透光性の開閉板６ｂで構成され、この本体６ａは数値表示部６ｃと、カッティングシート６ｄによるマイクロシーベルト表示部６ｅを備えている。
この場合、本体６ａ内部に収めた機器による放射能の変動する検出数値を数値表示部６ｃに表示し、開閉板６ｂを透してその都度外部から視認でき、開閉板６ｂを開くことにより本体６ａ内部の点検が容易となり、マイクロシーベルト表示部６ｅでは不変の単位表示ができる。
【符号の説明】
【００２４】
１      道路
２      場所
３      通信機器
４      放射線量測定器
５      通信網
６      表示装置
６ａ    本体
６ｂ    開閉板
６ｃ    数値表示部
６ｄ    カッティングシート
６ｅ    マイクロシーベルト表示部
７      インターネット
８      クラウド
９      コンピュータシステム
１０    携帯端末器
１１ａ  手前側の料金所
１１ｂ  後方側の料金所
１１ｅ  管理事務所
【図１ａ】
0003195737.tif 000003
【図１ｂ】
0003195737.tif 000004
【図２】
0003195737.tif 000005
【図３】
0003195737.tif 000006